(57)【要約】      （修正有）【課題】ルアー本体を水平姿勢を維持し、いかにも生きた餌であるかのように見せかける疑餌針の構造とするとともに、遠投あるいは海底からの尺を取るためにより重い錘を用いる場合の水平方向維持を図る疑餌針とする。【解決手段】ルアー本体を貫通してなる芯棒体１の一端に錘２を設け、当該疑餌針３と錘２よりなる支点にサルカン４を配して疑餌本体が当該サルカンを支点として水平位置を維持する。【選択図】図１
2011135854.tif 000002
【特許請求の範囲】
【請求項１】
ルアー本体を貫通してなる芯棒体１の一端に疑餌針本体３の荷重に相当する錘２を設け、当該疑餌針３と錘２よりなる支点にサルカン４を配して疑餌本体が当該サルカンを支点として水平位置を維持する釣具において、当該錘２を保持するリップ端部に疑餌ルアー本体を貫通する芯棒体を設け、さらに当該芯棒体１の貫通部にサルカン４を設けることにより、魚の捕獲に際し、全ての荷重を芯棒体とサルカンが同一軸線上にくるように配した釣具の構造。
【請求項２】
ルアー本体を貫通してなる芯棒体１の一端に疑餌針３本体の荷重に相当する錘２を設け、当該疑餌針３と錘２よりなる支点にサルカン４を配して疑餌本体が当該サルカンを支点として水平位置を維持する請求項１の釣具において、当該錘２を保持するリップ部６に、釣糸貫通孔５を設け、当該釣糸貫通孔５とサルカンが同軸上に位置することを特徴とし、当該釣糸貫通孔５を介してさらに下部に釣具Ｂを当該サルカン４に係止して、釣具Ａ、Ｂ共に互いに干渉されることなく独立して連結する釣糸貫通孔５を設けた魚釣り用の疑餌針。
【請求項３】
ルアー本体を貫通してなる芯棒体１の一端に疑餌針３本体の荷重に相当する錘２を設け、当該疑餌針３と錘２よりなる支点にサルカンを配して疑餌本体が水平位置を維持する請求項１の釣具において、当該錘２あるいは当該錘２を保持するリップ部６に、釣糸貫通孔５を設け、当該釣糸貫通孔５を介してサルカン４に係止された釣糸の端部を通し、これに別の大型錘１１を設けることにより、大型錘１１を吊り下げた釣糸が当該釣糸貫通孔５でルアー本体を水平方向に保持する構造の魚釣り用の疑餌針。
【発明の詳細な説明】
【技術分野】
【０００１】本発明は魚釣りに用いるルアーに関するものである【０００２】さらには魚の捕獲に際し、ルアー本体を水平姿勢を維持し、いかにも生きた餌であるかのように見せかける疑餌針の構造に関するものである。【０００３】また、疑餌針を複数個連結し、なおかつ各々を水平姿勢に保つ疑餌針に関するものである。【０００４】同時に、遠投あるいは海底からの尺を取るためにより重い錘を用いる場合の水平方向維持を図る疑餌針である。
【背景技術】
【０００５】旧来、疑餌針を用いて釣りを行う場合疑餌本体部分に浮力を有する木材あるいは中空状に設計した樹脂構造の疑餌部を中性浮力前後に設定して幹糸と枝糸に分けて疑餌本体を横に張り出して結束して用いていた。【０００６】この際、ルアー本体を中性浮力に設計し、その上で沈降速度を調整するために鉛による錘を疑餌本体に設けたのである。【０００７】このため大型の錘を併用して用いることができなかった。
【先行技術の開示】
【発明の開示】
【発明が解決しようとする課題】
【０００８】複数個の疑餌針を枝付けで用いる場合、ミチ糸から設けた枝糸（エダス）が互いに絡み易く、煩雑であった。【０００９】木材を使用したルアーの場合、素材の吸水性のため徐々に疑餌部が浮力を失い、水平姿勢を損なうことがあった。【００１０】また、疑餌本体に浮力を持たせるため中空状に設計し、水圧に耐えるようなリブ構造が必要であった。【００１１】このような浮力体からなるルアーでは沈降速度を調整するために錘を本体に併設して用いるのであるが、シャクリのような誘導姿勢を行うと動きが緩慢になり、疑餌としての機能にもの足りなさがあった。
【課題を解決しようとするための手段】
【００１２】本発明では、いかにも生きた餌、小魚であるかのように見せるために、疑餌針端部に疑餌針本体の重量に相当する錘とこれを保持するリップ部を設け、疑餌本体を貫通して突出した芯棒体にサルカンを設けるのである。
【００１３】また、錘あるいはこれを保持するリップ部に釣糸貫通孔を設け、連結して用いる下部に位置する別の疑餌針Ｂを当該釣糸貫通孔を介して、上部に位置する疑餌針Ａのサルカンに係止して一本の釣糸に縦に連結する形状で疑餌針Ａ、疑餌針Ｂを順次つないでいくのである。
【００１４】また、鉛２あるいはこれを保持するリップ部に設けた釣糸貫通孔に、あらかじめサルカンに固持した釣糸の他端を通して別の大型錘１１を係止するのである。
【００１５】本発明では、必ずしも疑餌針本体が浮力を有している必要はなく錘２と疑餌針とのバランスにより水平姿勢を生起させるのである。
【００１６】また、複数個の疑餌針をリップ部に開口した釣糸貫通孔を介して水平姿勢状態に設置するのである。
【００１７】あるいは、大型錘１１を釣糸貫通孔を介して本件疑餌針のサルカン部に係止して、水平姿勢を保持するのである。
【発明の効果】
【００１８】浮力を有しない疑餌針本体を作用点となし、この先端部に錘を設けてこれを力点となす事により、当該錘部分も含めた疑餌針本体の支点位置に相当する部位にサルカンを設けたので疑餌針部分に浮力がなくとも容易に水平バランスを保つのである。
【００１９】錘部分を含めた疑餌針本体の支点位置下部に釣糸貫通孔を設け、複数の疑餌針を当該釣糸貫通孔を介してサルカン部に係止せしめたので、一度に複数個の疑餌針を設置しても、互いに干渉せず自由に水平姿勢を保ち、疑餌らしい動きを呈するのである。
【００２０】先端の錘、あるいはこれを保持するリップ部に釣糸貫通孔を設け、大型錘１１を釣糸端部に取り付けたので、当該大型錘１１の影響を受けずに遠投、水深沈降設定に関わらず疑餌針本体を水平姿勢に保つことができるのである。
【００２１】本発明では、常に疑餌として最適な水平姿勢を呈し、同時にシャクリによる上下動を行うのである。
【００２２】本発明の疑餌針にあっては、釣果の際に釣糸と疑餌針本体は一直線に引き上げられ、捕獲した魚、イカなどを逃すことなく引き上げられるのである。
【００２３】
【発明を実施するための最良の形態】
【００２４】ルアー本体を貫通してなる芯棒体１の一端に疑餌胴体部、針部を設け、相対する他端に、疑餌針本体３の荷重に相当する錘２を設け、当該疑餌針３と錘２の荷重より構成される支点部分にサルカン４を配して、このサルカンに釣糸を係止するのである。【００２５】この際、疑餌本体は自信で浮く浮力を有する必要はない。【００２６】また、ルアー本体を貫通してなる芯棒体１の一端に疑餌針３本体の荷重に相当する錘２を設け、当該疑餌針３と錘２よりなる支点にサルカン４を配して疑餌本体が当該サルカンを支点として水平位置を維持する請求項１の釣具において、当該錘２を保持するリップ部６に、釣糸貫通孔５を設け、当該釣糸貫通孔５とサルカンを垂直方向の同軸上に位置せしめ、当該釣糸貫通孔５を介してさらに下部に同様の構造になる釣具Ｂを当該サルカン４に係止して仕掛けとなすのである。このため、釣具Ａ、Ｂ共に互いに干渉されることなく独立して連結されるのである。【００２７】また、請求項３にあっては、ルアー本体を貫通してなる芯棒体１の一端に疑餌針３本体の荷重に相当する錘２を設け、当該疑餌針３と錘２よりなる支点にサルカンを配して疑餌本体が水平位置を維持する請求項１の釣具の構造を有せしめ、さらに当該錘２あるいは当該錘２を保持するリップ部６に、釣糸貫通孔５を設けるのである。しかる後、サルカン４に係止された釣糸の他の端部を、当該釣糸貫通孔５を介して通し、これに大型錘１１を設けるのである。【００２８】かくして、この様に構成された請求項３の疑餌針は、大型錘１１を吊り下げた釣糸が当該釣糸貫通孔５内部で自身の荷重により緊張し、浮力を持たない本発明の疑餌針本体が傾こうとする動きを制し、水平方向に保持する構造とすることができるのである。【００２９】当該請求項３よりなる疑餌針は、海岸からより遠方に投ずるために例えば１５号乃至の大型の錘を端部に用いても、当該大型錘１１の荷重に影響されず、適度な水平姿勢を保持できるのである。【００３０】なお、請求項３の大型錘１１に替えて、請求項２にいう別の釣具Ｂを用いることにより当該大型錘１１に相当させ、Ａ、Ｂ・・・という複数の釣具を水平方向に保持し連結して用いることは効果的である。この際、連結する釣糸は請求項３にいうリップ部６あるいは錘２に設けられた釣糸貫通孔５を介して用い、それぞれ上部の疑餌針のサルカン部に係止されるのである。
【図面の簡単な説明】
【図１】  請求項１の実施例である。
【図２】  請求項１の構造を示す説明図である。
【図３】  本発明のリップ部を示す。
【図４】  釣り上げ姿勢を示す説明図である。
【図５】  本発明の別の形態をした針の実施例である。
【図６】  請求項２の実施例である。
【図７】  請求項３の実施例である。
【図８】  請求項３の構造を示す説明図である。
【符号の説明】        １  疑餌針本体を貫通する芯棒体である。
２  疑餌針先端部に設けた錘である。
３  疑餌針本体である。
４  サルカン
５  リップ部
６  釣糸
７  針部
８  請求項２のリップ部に設けた釣糸貫通孔
９  請求項２に説明する上位に位置する複数疑餌針である。
１０  請求項２に説明する下位に位置する複数疑餌針である。
１１  大型錘
【図１】
2011135854.tif 000003
【図２】
2011135854.tif 000004
【図３】
2011135854.tif 000005
【図４】
2011135854.tif 000006
【図５】
2011135854.tif 000007
【図６】
2011135854.tif 000008
【図７】
2011135854.tif 000009
【図８】
2011135854.tif 000010